(57)【要約】【課題】画像ビューアソフトに対し、表示する画像の表示サイズや画像数に合わせて最適なメモリ容量を確保する画像表示装置を提供する。【解決手段】画像表示装置（クライアントＰＣ）において、ワークメモリ部３２０は、画像ビューアソフトが画像を表示するために使用する画像表示メモリを確保する揮発性メモリである。画像データ保存メモリ部３３０は、監視カメラから受信した画像データを保存する不揮発性メモリである。プログラム・データメモリ部３４０は、クライアントＰＣ３００で実行されるプログラムとデータが記憶される不揮発性メモリである。ＣＰＵ３５０は、クライアントＰＣ３００全体を制御する部位である。ＣＰＵ３５０の画像ビュア処理部３５０ａは、画像データを表示するときに使用する画像表示メモリを、画像の表示サイズと画像数に基づいてワークメモリ部３２０に動的に確保する。【選択図】図２
2011109247.tif 000002
【特許請求の範囲】
【請求項１】
ＷＥＢエンコーダを介してネットワークに接続されている監視カメラから監視地点の画像データ、表示サイズと画像数である画像情報データを受信するネットワークＩ／Ｆ部と、
画像ビュアが使用する画像表示メモリを前記画像データの画像を表示するために確保する画像ビュア処理部とを備え、
前記画像ビュア処理部は、前記表示サイズと前記画像数に基づいて前記画像表示メモリの容量を確保することを特徴とする画像表示装置。
【発明の詳細な説明】
【技術分野】
【０００１】
本発明は、遠隔地、多地点における侵入物体の監視や定点観測などを行う監視システムにおいて、監視カメラ装置が設置されている監視地点を撮影した画像のデータ（以下、画像データという）と、画像データと一緒に送付される画像の解像度（以下、表示サイズという）、及び同時に表示される画像の数（以下、画像数という）のデータ（以下、画像情報データという）を監視カメラ装置のネットワーク型監視画像配信装置から受信し、この画像データと画像情報データに基づいて画像を表示する画像表示装置に関するものである。
【背景技術】
【０００２】
監視カメラ装置のネットワーク型監視画像配信装置から配信される画像データを画像表示装置に表示するには、画像表示用のソフトウェア（以下、画像ビューアソフトという）を使用する。また、この画像ビューアソフトは、画像を表示するために画像表示装置のメモリを使用し、画像ビューアソフトが使用するメモリ（以下、画像表示メモリという）の容量は、画像ビューアソフトが表示する画像の表示サイズと、監視地点の複数の画像を重ねてまたは並べて表示するときに同時に表示する画像数によって異なる。このため監視カメラ装置のネットワーク型監視画像配信装置から配信される画像データに基づいて予め画像表示メモリの容量を求め、この画像データの中で一番大きい容量の画像表示メモリを画像表示装置のメモリに確保していた。しかし、この画像表示メモリの容量は、表示サイズの大きい画像や同時に表示する画像数が多い画像を表示するための容量であるため、表示サイズの小さい画像や同時に表示する画像数が少ない画像を表示する場合であっても、同じ容量の画像表示メモリが画像表示装置のメモリに確保されていた。
【０００３】
画像処理を効率的に行う従来技術として特開２００７−２１４８３１号公報（特許文献１）と特開特開２００９−１１７９５６号公報（特許文献２）を挙げることができる。特許文献１に開示の技術では、表示装置に表示される映像データのフレーム数、解像度、画素数あるいは映像データの伝送ビットレート等を容易に変更できるので、画像処理部の画像処理能力に応じて映像データのフレーム数、解像度、画素数あるいは映像データの伝送ビットレート等を変更することで、画像処理部の処理量を最適することができる映像処理システムを提供している。特許文献２に開示の技術では、撮像条件、物体検知範囲、検出する物体の大きさから検出する物体の最小の幅、高さ、及び最大の幅、高さを算出し、画像縮小係数を設定することで、必要最低限の処理で高速に侵入者検知を行うことができる映像処理装置を提供している。
【先行技術文献】
【特許文献】
【０００４】
【特許文献１】特開２００７−２１４８３１号公報
【特許文献２】特開２００９−１１７９５６号公報
【発明の概要】
【発明が解決しようとする課題】
【０００５】
従来の画像表示装置では、表示サイズの小さい画像や同時に表示する画像数が少ない画像を表示する場合であっても、画像表示メモリの容量は、一番大きい容量の画像の画像表示メモリとなる。従って画像ビューアソフトが起動されると、画像ビューアソフトは画像表示メモリを画像表示装置のメモリに確保するので、その後に他の処理が起動されても十分なメモリを確保できないことがあり、他の処理に時間がかかることがあった。このため、他の処理の実行時間に影響を与えないようにするには、大きなメモリ容量を備えた高価な画像表示装置が必要であった。更に、監視カメラ装置で撮影される画像の高精細化が進んでおり、画像ビューアソフトが必要とする画像表示メモリの容量が増加していた。また、特許文献１と特許文献２に開示の技術では、画像処理を最適な状態で実行できるようにしているが、メモリを効率的に確保して使用することはできなかった。
【０００６】
本発明はこのような状況に鑑みてなされたものであり、上記課題を解決できる画像表示装置を提供することを目的とする。
【課題を解決するための手段】
【０００７】
本発明の画像表示装置は、ＷＥＢエンコーダを介してネットワークに接続されている監視カメラから監視地点の画像データ、表示サイズと画像数である画像情報データを受信するネットワークＩ／Ｆ部と、画像ビュアが使用する画像表示メモリを前記画像データの画像を表示するために確保する画像ビュア処理部とを備え、前記画像ビュア処理部は、前記表示サイズと前記画像数に基づいて前記画像表示メモリの容量を確保することを特徴としている。
【発明の効果】
【０００８】
本発明によれば、監視カメラ装置のネットワーク型監視画像配信装置から配信される画像データの画像を表示するときに、画像情報データの表示サイズや画像数に応じて最適な画像表示メモリを動的に確保するので、他の処理の実行に影響を与えないようにし、また大きなメモリ容量を備えた高価な画像表示装置でなくても画像を表示できる画像表示装置を提供する。
【図面の簡単な説明】
【０００９】
【図１】本発明の実施の形態における監視システム構成を示す構成図である。
【図２】本発明の実施の形態における画像表示装置の機能構成を示す機能ブロック図である。
【図３】本発明の実施の形態における画像情報データテーブルの構成を示すデータ構成図である。
【図４】本発明の実施の形態における画像ビューアソフトのメモリ確保手順を示すフローチャートである。
【発明を実施するための形態】
【００１０】
本発明の実施の形態における監視システムの構成について説明する。図１に、本発明の監視システムの構成を示す。監視システムは、監視カメラ装置（以下、監視カメラという）１００、ネットワーク型監視画像配信装置（以下、ＷＥＢエンコーダという）１１０、ＷＥＢエンコーダ内蔵監視カメラ装置（以下、ＷＥＢエンコーダ内蔵監視カメラという）１２０、ネットワーク２００、及び画像表示装置（以下、クライアントＰＣという）３００から構成されている。監視カメラ１００は、遠隔地、多地点における侵入物体の監視や定点観測などを行うために監視地点に設置され、映像を撮影し、撮影した映像の画像データをＷＥＢエンコーダ１１０に出力する装置である。ＷＥＢエンコーダ１１０は、監視カメラ１００から入力した画像データのアナログ信号をデジタル信号に変換し、ネットワークに接続されているクライアントＰＣ３００に配信する装置である。また、ＷＥＢエンコーダ１１０は、画像データから表示サイズや画像数の画像情報データを求め、クライアントＰＣ３００に配信する装置である。ＷＥＢエンコーダ内蔵監視カメラ１２０は、ＷＥＢエンコーダを内蔵している監視カメラであり、ＷＥＢエンコーダ内蔵監視カメラ１２０に内蔵されているＷＥＢエンコーダの機能は、ＷＥＢエンコーダ１１０に同じである。ネットワーク２００は、インターネットやイントラネット等の、例えばＩＰネットワークであり、監視カメラ１００、ＷＥＢエンコーダ内蔵監視カメラ１２０、及びクライアントＰＣ３００などの装置を接続している。クライアントＰＣ３００は、ネットワークに接続可能なＰＣ／ＡＴ互換機のパソコン装置で、ＷＥＢエンコーダ１１０やＷＥＢエンコーダ内蔵監視カメラ１２０から配信される画像データと画像情報データを受信し、画像を表示し保存する。
【００１１】
次に、本発明の実施の形態におけるクライアントＰＣ３００の機能構成について説明する。図２は、本発明のクライアントＰＣ３００の機能構成を示す機能ブロック図である。クライアントＰＣ３００の機能は、ネットワークＩ／Ｆ部３１０、ワークメモリ部３２０、画像データ保存メモリ部３３０、プログラム・データメモリ部３４０、ＣＰＵ３５０、操作部３６０、及び表示部３７０から構成されている。ネットワークＩ／Ｆ部３１０は、ネットワーク２００に接続するためのＬＡＮインターフェイスを備え、ネットワークプロトコルにより送受信を行う部位である。ワークメモリ部３２０は、クライアントＰＣ３００が処理を実行するために使用される揮発性メモリであり、画像ビューアソフトが画像を表示するときに使用する画像表示メモリが確保される。画像データ保存メモリ部３３０は、クライアントＰＣ３００がＷＥＢエンコーダ１１０やＷＥＢエンコーダ内蔵監視カメラ１２０から配信される画像データを保存する不揮発性メモリである。プログラム・データメモリ部３４０は、クライアントＰＣ３００で実行されるプログラムと、プログラムで使用するデータが記憶される不揮発性メモリである。プログラム・データメモリ部３４０には、クライアントＰＣ３００がＷＥＢエンコーダ１１０やＷＥＢエンコーダ内蔵監視カメラ１２０から配信される画像情報データを保存する画像情報データテーブル３４０ａが記憶されている。画像情報データテーブル３４０ａの構成については、後述する。ＣＰＵ３５０は、画像データの表示などのクライアントＰＣ３００全体を制御する部位である。ＣＰＵ３５０には、画像表示要求を受け付け、ＷＥＢエンコーダ１１０と接続し、画像ビューアソフトを起動する画像ビュア処理部３５０ａが設けられている。操作部３６０は、クライアントＰＣ３００に対するキー入力操作やマウス等による操作を入力する部位である。表示部３７０は、液晶パネル等からなるモニター３８０と接続され、受信した画像データを表示可能なフォーマットに変換し、モニター３８０に表示する部位である。
【００１２】
次に、クライアントＰＣ３００のプログラム・データメモリ部３４０に記憶されている画像情報データテーブル３４０ａについて説明する。画像情報データテーブル３４０ａは、画像ビューアソフトが起動され、ＷＥＢエンコーダ１１０やＷＥＢエンコーダ内蔵監視カメラ１２０から配信される画像データと画像情報データを画像ビューアソフトが入力したときに、画像ビューアソフトによってデータが設定されるテーブルである。図３に、画像情報データテーブル３４０ａの構成を示す。画像情報データテーブル３４０ａは、インデックスＮｏ（Ｉ）、画像データＮｏ、表示サイズ、画像数、及び画像表示メモリの容量から構成されている。インデックスＮｏ（Ｉ）は設定されているデータの順番を示す番号であり、インデックスＮｏ（Ｉ）には１から昇順に付けられた番号が設定される。画像データＮｏは画像データを識別するために画像データに付けられているユニークな番号であり、画像データＮｏにはＷＥＢエンコーダ１１０またはＷＥＢエンコーダ内蔵監視カメラ１２０から画像情報データと一緒に配信される画像データの番号が設定される。表示サイズは画像の画質となる解像度であり、表示サイズにはＶＧＡ（Video Graphics Array、６４０×４８０）やＱＶＧＡ（Quarter Video Graphics Array、３２０×２４０）などの解像度が設定される。画像数は、監視地点の複数の画像をモニター３８０に重ねてまたは並べて表示するときに同時に表示する画像の数であり、画像数にはこの同時に表示する画像の数が設定される。画像表示メモリの容量は、画像ビューアソフトが画像を表示するときに使用するメモリ容量であり、画像表示メモリの容量にはワークメモリ部３２０に確保されるメモリ容量が設定される。例えば、図３に示す画像情報データテーブル３４０ａにおいて、インデックスＮｏ（Ｉ）＝３であれば、ＷＥＢエンコーダ１１０やＷＥＢエンコーダ内蔵監視カメラ１２０から配信される画像データの画像データＮｏは「０１３」、画像データと一緒に配信される画像情報データの表示サイズは「ａ３」、画像データと一緒に配信される画像情報データの画像数は「ｂ３」、画像表示メモリの容量は「ｃ３」であることを示している。
【００１３】
次に、本発明の実施の形態に係わるクライアントＰＣ３００における画像ビューアソフトの画像表示メモリ処理について説明する。
【００１４】
まず、監視者がクライアントＰＣ３００において監視地点を指定して画像表示要求の操作を行うと、操作部３６０からＣＰＵ３５０の画像ビュア処理部３５０ａに指定された監視地点の画像表示要求が出力される。次に、画像ビュア処理部３５０ａが指定された監視地点の画像表示要求を入力し、指定された監視地点の画像を配信しているＷＥＢエンコーダ１１０またはＷＥＢエンコーダ搭載監視カメラ１２０に対して、ネットワークＩ／Ｆ部３１０を経由して接続要求を出力する。次に、画像ビュア処理部３５０ａは、指定された監視地点の画像を配信しているＷＥＢエンコーダ１１０またはＷＥＢエンコーダ搭載監視カメラ１２０と接続し、画像データと画像情報データをネットワークＩ／Ｆ部３１０を経由して入力する。次に、画像ビュア処理部３５０ａが画像ビュアソフトを起動し、画像データと画像情報データを画像ビュアソフトに出力すると、画像ビュアソフトは画像表示メモリ処理を開始する。また、モニター３８０に画像を表示しているときに監視者が表示サイズの変更、同じＷＥＢエンコーダ１１０またはＷＥＢエンコーダ搭載監視カメラ１２０の画像に対する新規の表示、又は表示の中断の操作を行うと、操作部３６０から画像ビュア処理部３５０ａにこれらの要求が出力され、画像ビュア処理部３５０ａがこれらの要求を入力する。画像ビュア処理部３５０ａは、接続しているＷＥＢエンコーダ１１０またはＷＥＢエンコーダ搭載監視カメラ１２０から、表示サイズを変更する画像、新規表示する画像、及び表示を中断する画像の画像データと画像情報データを入力し、画像ビュアソフトに出力する。
【００１５】
図４は、クライアントＰＣ３００に搭載されている画像ビューアソフトの画像表示メモリ処理の手順を示すフローチャートである。以下、画像表示メモリ処理フローチャートのステップ順に説明する。
【００１６】
（ステップＳ１０）
まず、画像ビューアソフトは、画像情報データテーブル３４０ａのインデックスＮｏに「１」を設定し、初期化する。
【００１７】
（ステップＳ２０）
次に、画像ビューアソフトは、画像データと画像情報データを入力し、画像データから画像データＮｏ、画像情報データから表示サイズと画像数を取り出し、画像情報データテーブル３４０ａのインデックスＮｏ（Ｉ）に対応する画像データＮｏ、表示サイズ、及び画像数に設定する。例えば、インデックスＮｏ（Ｉ）＝１、画像データの画像データＮｏが「０１１」、画像情報データの表示サイズが「ａ１」、画像数が「ｂ１」であれば、画像情報データテーブル３４０ａのインデックスＮｏ（Ｉ）＝１に対応する画像データＮｏに「０１１」、表示サイズに「ａ１」、及び画像数に「ｂ１」が設定される。
【００１８】
（ステップＳ３０）
次に、画像ビューアソフトは、ステップＳ２０で取り出した表示サイズと画像数から画像表示メモリの容量を計算し、ワークメモリ部３２０にこの画像表示メモリの容量を確保する。また、画像ビューアソフトは、画像情報データテーブル３４０ａのインデックスＮｏ（Ｉ）に対応する画像表示メモリの容量に、計算した画像表示メモリの容量を設定する。例えば、インデックスＮｏ（Ｉ）＝１、計算した画像表示メモリの容量が「ｃ１」であれば、画像情報データテーブル３４０ａのインデックスＮｏ（Ｉ）＝１に対応する画像表示メモリの容量に「ｃ１」が設定される。
【００１９】
（ステップＳ４０）
次に、画像ビューアソフトは、表示サイズを変更する要求があるかを判定する。表示サイズを変更する要求があるとき(ステップＳ４０のＹｅｓ)は、画像表示メモリの容量を変更するステップＳ５０に進む。また、表示サイズを変更する要求がないとき(ステップＳ４０のＮｏ)は、新規の画像を表示する要求があるかを判定するステップＳ６０に進む。
【００２０】
（ステップＳ５０）
次に、画像ビューアソフトは、表示サイズを変更する画像の画像情報データから表示サイズを取り出し、取り出した表示サイズと画像情報データテーブル３４０ａのインデックスＮｏ（Ｉ）に対応する画像数から画像表示メモリの容量を計算し、ワークメモリ部３２０にこの画像表示メモリの容量を確保する。また、画像ビューアソフトは、画像情報データテーブル３４０ａのインデックスＮｏ（Ｉ）に対応する表示サイズと画像表示メモリの容量を変更し、表示サイズを変更する要求があるかを判定するステップＳ４０に戻る。例えば、インデックスＮｏ（Ｉ）＝１で、取り出した表示サイズが「ａ１’」、計算した画像表示メモリの容量が「ｃ１’」であれば、画像情報データテーブル３４０ａのインデックスＮｏ（Ｉ）＝１に対応する表示サイズが「ａ１’」、画像表示メモリの容量が「ｃ１’」に変更される。
【００２１】
（ステップＳ６０）
次に、画像ビューアソフトは、新規の画像を表示する要求があるかを判定する。新規の画像を表示する要求があるとき(ステップＳ６０のＹｅｓ)は、画像情報データテーブル３４０ａのインデックスＮｏを更新するステップＳ７０に進む。また、新規の画像を表示する要求がないとき(ステップＳ６０のＮｏ)は、画像の表示を中断する要求があるかを判定するステップＳ１００に進む。
【００２２】
（ステップＳ７０）
次に、画像ビューアソフトは、画像情報データテーブル３４０ａのインデックスＮｏを更新する。
【００２３】
（ステップＳ８０）
次に、画像ビューアソフトは、画像データと画像情報データを入力し、画像データから画像データＮｏ、画像情報データから表示サイズと画像数を取り出し、画像情報データテーブル３４０ａのインデックスＮｏ（Ｉ）に対応する画像データＮｏ、表示サイズ、及び画像数に設定する。例えば、インデックスＮｏ（Ｉ）＝２、画像データの画像データＮｏが「０１２」、画像情報データの表示サイズが「ａ２」、画像数が「ｂ２」であれば、画像情報データテーブル３４０ａのインデックスＮｏ（Ｉ）＝２に対応する画像データＮｏに「０１２」、表示サイズに「ａ２」、及び画像数に「ｂ２」が設定される。
【００２４】
（ステップＳ９０）
次に、画像ビューアソフトは、ステップＳ８０で取り出した表示サイズと画像数から画像表示メモリの容量を計算し、ワークメモリ部３２０に現在確保されている画像表示メモリの容量との差を計算し、計算した差分でワークメモリ部３２０に現在確保されている画像表示メモリの容量を増減する。また、画像ビューアソフトは、画像情報データテーブル３４０ａのインデックスＮｏ（Ｉ）に対応する画像表示メモリの容量に、計算した画像表示メモリの容量を設定し、表示サイズを変更する要求があるかを判定するステップＳ４０に戻る。例えば、インデックスＮｏ（Ｉ）＝２、計算した画像表示メモリの容量が「ｃ２」であれば、画像情報データテーブル３４０ａのインデックスＮｏ（Ｉ）＝２に対応する画像表示メモリの容量に「ｃ２」が設定される。
【００２５】
（ステップＳ１００）
次に、画像ビューアソフトは、画像の表示を中断する要求があるかを判定する。画像の表示を中断する要求があるとき(ステップＳ１００のＹｅｓ)は、確保している画像表示メモリの容量を解放するステップＳ１１０に進む。また、画像の表示を中断する要求がないとき(ステップＳ１００のＮｏ)は、画像ビュアソフトを終了する要求があるかを判定するステップＳ１２０に進む。
【００２６】
（ステップＳ１１０）
次に、画像ビューアソフトは、画像の表示を中断する画像データから画像データＮｏを取り出し、更に取り出した画像データＮｏに対応する画像情報データテーブル３４０ａのインデックスＮｏ（Ｉ）を取り出す。そして画像ビューアソフトは、画像情報データテーブル３４０ａのインデックスＮｏ（Ｉ）に対応する画像表示メモリの容量を取り出し、この画像表示メモリの容量を解放する。また、画像ビューアソフトは、画像情報データテーブル３４０ａのインデックスＮｏ（Ｉ）に対応する画像表示メモリの容量を「０」に変更し、表示サイズを変更する要求があるかを判定するステップＳ４０に戻る。例えば、画像の表示を中断する画像データの画像データＮｏが「０１３」であれば、画像情報データテーブル３４０ａのインデックスＮｏ（Ｉ）は「３」となるので、インデックスＮｏ（Ｉ）＝３に対応する画像情報データテーブル３４０ａの画像表示メモリの容量が「ｃ３」から「０」に変更される。
【００２７】
（ステップＳ１２０）
次に、画像ビューアソフトは、画像ビューアソフトを終了する要求があるかを判定する。画像ビューアソフトを終了する要求があるとき(ステップＳ１２０のＹｅｓ)は、確保している全ての画像表示メモリを解放するステップＳ１３０に進む。また、画像ビューアソフトを終了する要求がないとき(ステップＳ１２０のＮｏ)は、表示サイズを変更する要求があるかを判定するステップＳ４０に戻る。
【００２８】
（ステップＳ１３０）
次に、画像ビューアソフトは、ワークメモリ部３２０に確保している全ての画像表示メモリを解放し、画像ビュアソフトを終了する。
【００２９】
また、本発明の実施の形態では、画像表示装置に接続されているモニター３８０に画像を表示する実施の形態としたが、画像表示装置ではなくサーバに接続されているモニター３８０、携帯端末の表示部などに表示する際に適用することも可能である。
【００３０】
以上のように、本発明の実施の形態によれば、監視カメラ装置のネットワーク型監視画像配信装置から配信される画像データの画像を表示するときに、画像情報データの表示サイズや画像数に応じて最適な画像表示メモリを動的に確保するので、他の処理の実行に影響を与えないようにし、また大きなメモリ容量を備えた高価な画像表示装置でなくても画像を表示できる。例えば、従来は表示サイズがＶＧＡ（６４０×４８０）の画像を９枚表示した後に、表示サイズがＱＶＧＡ（３２０×２４０）の画像１枚を表示するときであっても、画像表示メモリとして表示サイズがＶＧＡ（６４０×４８０）の画像を９枚表示するときの容量（６４０×４８０×９＝２７６４８００）が確保されている。しかし、本発明では表示サイズがＶＧＡ（６４０×４８０）の画像を９枚表示した後に、ＱＶＧＡ（３２０×２４０）の画像１枚を表示するときであっても、画像表示メモリとしてＶＧＡ（３２０×２４０）の画像を１枚表示するときの容量（３２０×２４０×１＝７６８００）が確保されるので、従来の画像表示メモリに比べ約２．７％の容量となる。
【００３１】
以上、具体的な実施の形態により本発明を説明したが、上記実施の形態は本発明の例示であり、この実施の形態に限定されないことは言うまでもない。
【００３２】
以上の実施態様の特徴をまとめると次のようになる。
（１） 本発明の画像表示装置は、ＷＥＢエンコーダを介してネットワークに接続されている監視カメラから監視地点の画像データ、表示サイズと画像数である画像情報データを受信するネットワークＩ／Ｆ部と、画像ビュアが使用する画像表示メモリを前記画像データの画像を表示するために確保する画像ビュア処理部とを備え、前記画像ビュア処理部は、前記表示サイズと前記画像数に基づいて前記画像表示メモリの容量を確保することを特徴としている。
（２）（１）の画像表示装置の前記画像ビュア処理部は、前記画像表示装置に表示する前記画像の前記表示サイズを変更するときに、変更した前記表示サイズと前記画像数に基づいて前記画像表示メモリの容量を確保することを特徴としている。
（３）（１）または（２）の画像表示装置の前記画像ビュア処理部は、前記画像表示装置に新規の画像を表示するときに、新規に表示する画像の表示サイズと画像数に基づいて前記画像表示メモリの容量を変更することを特徴としている。
（４）（１）から（３）のいずれかの画像表示装置の前記画像ビュア処理部は、前記画像表示装置に表示している前記画像の表示を中断するときに、前記画像を表示するために確保していた前記画像表示メモリを解放することを特徴としている。
（５）（１）から（４）のいずれかの画像表示装置の前記画像ビュア処理部は、前記画像表示メモリを前記画像表示装置の一時メモリ領域であるワークメモリ部に確保し、また前記画像ビュアを終了するときに前記画像ビュア処理部は確保していた前記画像表示メモリを解放することを特徴としている。
（６）本発明の画像表示装置の画像表示メモリ確保方法は、ＷＥＢエンコーダを介してネットワークに接続されている監視カメラから監視地点の画像データ、表示サイズと画像数である画像情報データを受信するネットワークＩ／Ｆ工程と、画像ビュアが使用する画像表示メモリを前記画像データの画像を表示するために確保する画像ビュア処理工程とを備え、前記画像ビュア処理工程は、前記表示サイズと前記画像数に基づいて前記画像表示メモリの容量を確保することを特徴としている。
（７）本発明の監視システムは、遠隔地、多地点における侵入物体の監視や定点観測などを行う監視システムにおいて、監視地点を撮影した画像の画像データと、前記画像の表示サイズと画像数である画像情報データをネットワーク経由で配信するＷＥＢエンコーダ部と、前記ＷＥＢエンコーダ部から前記画像データと前記画像情報データを受信するネットワークＩ／Ｆ部と、画像ビュアが使用する画像表示メモリを前記画像データの画像を表示するために確保する画像ビュア処理部とを備え、前記画像ビュア処理部は、前記表示サイズと前記画像数に基づいて前記画像表示メモリの容量を画像表示装置のワークメモリ部に確保することを特徴としている。
【産業上の利用可能性】
【００３３】
本発明は、画像表示装置に好適であるが、画像表示装置に限られるものではなく、画像などを表示する装置一般に適用可能である。
【符号の説明】
【００３４】
１００・・・・・監視カメラ装置（監視カメラ）
１１０・・・・・ＷＥＢエンコーダ
１２０・・・・・ＷＥＢエンコーダ内蔵監視カメラ装置（ＷＥＢエンコーダ内蔵監視カメラ）
２００・・・・・ネットワーク
３００・・・・・画像表示装置（クライアントＰＣ）
３１０・・・・・ネットワークＩ／Ｆ部
３２０・・・・・ワークメモリ部
３３０・・・・・画像データ保存メモリ部
３４０・・・・・プログラム・データメモリ部
３４０ａ・・・・画像情報データテーブル
３５０・・・・・ＣＰＵ
３５０ａ・・・・画像ビュア処理部
３６０・・・・・操作部
３７０・・・・・表示部
３８０・・・・・モニター
【図１】
2011109247.tif 000003
【図２】
2011109247.tif 000004
【図３】
2011109247.tif 000005
【図４】
2011109247.tif 000006